(57)【特許請求の範囲】
【請求項１】
基台（１）と表示パネル（２）とをそれらの前端縁において左右方向軸線の主ヒンジ（３）により枢着すると共に、表示パネル（２）の裏面の後方中間部分に支脚（４）をその基部において左右方向軸線の支脚用ヒンジ（５）により枢着し、表示パネル（２）と支脚（４）とが俯仰した折り畳み状態から、表示パネル（２）と支脚（４）とが仰起してほぼ人字状となる状態までの任意の角度のもとに、表示パネル（２）の仰角を変化させることができるようにした型式の卓上機器用表示パネルの角度調節装置であって、前記支脚（４）の端部にスライダ（６）を設けると共に、これに対応する基台（１）には前後方向のガイド（７）を設けてこれらスライダ（６）とガイド（７）とにより前後方向のスライド機構を構成し、更に支脚用ヒンジ（５）に隣接して旋回を適度に制動する回転摩擦利用型のダンパ（８）を付設したことを特徴とする卓上機器用表示パネルの角度調節装置。
【請求項２】
表示器（２ａ）とこの表示器（２ａ）の表部に透明フラット型タッチキー（２ｂ）を備えたタッチキー付表示ユニット（２ｃ）を設けた型式の表示パネル（２）を採択した請求項１に記載の卓上機器用表示パネルの角度調節装置。
【請求項３】
枢軸（１０）の端部に断面がほぼ長円形の内輪（１２）を形成すると共に、軸受（１１）の奥部にほぼ長円形断面の受孔がある外輪（１３）をその受孔の短軸と内輪（１２）の長軸とが対応する位置関係のもとに弾性材により形成し、受孔（１３）の短軸と内輪（１２）の長軸とが対応する回転角度の範囲において圧接摩擦による制動作用を発揮するダンパ（８）を採択した請求項１または請求項２に記載の卓上機器用表示パネルの角度調節装置。
【請求項４】
円形の内輪（１２）と外輪（１３）とを中間間隙が保たれるように共通軸線関係に設けると共に、内輪（１２）の外周面と外輪（１３）の内周面とにそれぞれ弾性材製の回転トラック（１４），（１５）を形成し、かつ両回転トラック（１４），（１５）間に剛製材製のロール（１６）を列設し、回転トラック（１４），（１５）の弾性材とロール（１６）とのころがり摩擦作用による制動力を利用する型式のダンパ（８）を採択した請求項１または請求項２に記載の卓上機器用表示パネルの角度調節装置。
【請求項５】
ディスクブレーキ型のダンパ（８）を採択した請求項１または請求項２に記載の卓上機器用表示パネルの角度調節装置。
【発明の詳細な説明】
【０００１】
【発明の属する技術分野】
本発明は、ＰＯＳ端末機，携帯用パーソナルコンピュータ等の情報処理機器、その他電話機，卓上計算機，キーボード等のように、表示面または表示面と操作面とが併設されたパネルを備えた卓上機器における表示パネルの仰角を変更する角度調節装置に関するものであり、詳しくは前端基部を枢着した表示パネルと、この表示パネル裏面の中間部分に枢着した支脚とを、ほぼ人字状置盾形に組み合わせた型式の表示パネルの仰角を変更する角度調節装置に関するものである。
【０００２】
【従来の技術】
従来のこの種の角度調節装置としては、例えば図９（ａ）のように、基台ＡとパネルＢとをそれらの前端縁においてヒンジＣにより枢着すると共に、このヒンジＣ部分に旋回を制動するダンパＤを付設し、これにより使用時においてはダンパＤの制動力によりパネルＢの仰角を所定位置に維持するようにし、これに反しパネルＢを上記制動力に抗して旋回させることにより、パネルＢの仰角を任意の所望位置に変更するようにした構造のものがある。
【０００３】
また図９（ｂ）のように、基台ＡとパネルＢとをそれらの前端縁においてヒンジＣにより枢着すると共に、パネルＢの後方中間部分に支脚Ｅを支脚基部においてヒンジＦにより枢着すると共に、これに対して基台Ａには支脚Ｅの先端の係止に適応する鋸歯状の掛止部材Ｇを設けて、これら支脚Ｅと掛止部材Ｇとにより掛止機構を構成し、この掛止機構による係合位置によりパネルＢの仰角を段階的に変更することができるようにした構造のものがある。
【０００４】
【発明が解決しようとする課題】
上記二つの構造中の前者即ちダンパＤを付設した型式のものにおいては、軽快な操作性のためにはダンパＤの制動力を比較的弱く設定するのが望ましいが、パネルＢとしてタッチキー型の操作面を併設する型式の場合には、タッチキーに対する操作時にダンパＤの制動力の不足によりパネルＢの仰角が変化し易い傾向があり、またパネルＢの仰角を安定的に保持する目的のもとにダンパＤの制動力を強く設定すると、パネルＢの仰角を変更する場合に、その制動力に抗した強力な操作力を必要とするばかりでなく、使用開始時の仰起操作並びに使用終了時の折り畳み操作が困難となる等、要するにパネルＢの安定的保持と操作性の確保との両者を同時に満足させることが困難であり、しかもダンパＤの機械的寿命を縮減することになる。
【０００５】
また、後者即ち支脚Ｅと掛止部材Ｇとによる掛止機構を設ける型式のものにおいては、支脚Ｅが操作に不都合なパネルＢの背後に配設されている関係上、支脚Ｅに対する掛け換え操作が著しく煩雑である欠点があり、しかも調節については段階的である。
【０００６】
そこで本発明の目的は、比較的弱い制動力のダンパを使用してパネルに対する調節操作を軽易に行うことができるようにするにも拘らず、設定後の傾斜位置を安定的に維持することができる無段階調節可能な角度調節装置を提供することにある。
【０００７】
【課題を解決するための手段】
本発明は、上記目的を達成するため、基台と表示パネルとをそれらの前端縁において左右方向軸線の主ヒンジにより枢着すると共に、表示パネルの裏面の中間部分に支脚を支脚基部において左右方向軸線の支脚用ヒンジにより枢着し、かつ支脚の端部にスライダを設けると共に、これに対応する基台には前後方向のガイドを設けてスライド機構を構成し、更に支脚用ヒンジ部分もしくは隣接位置には旋回を制動する回転摩擦利用型ダンパ（ブレーキ手段でもある）を付設して、表示パネルに対する俯仰操作により旋回可能に構成すると共に、通常使用状態においては旋回を阻止し、これにより表示パネルに対する軽易な操作のもとに表示パネルを無段階に調節することができるようにし、これに反し支脚と表示パネルとをダンパの旋回阻止機能のもとに人字状に保持する作用と、支脚による突支棒作用とにより、設定後の表示パネルの仰角を安定的に維持することができるようにした。
【０００８】
【発明の実施の形態】
以下、本発明の角度調節装置を卓上機器に適用した図示の実施形態について詳細に説明する。
【０００９】
適用対象としての卓上機器としては、例えば図１および図２のように、基台１と表示パネル２とをそれらの前端縁において左右方向軸線の主ヒンジ３により枢着すると共に、表示パネル２の裏面の後方中間部分に支脚４を支脚基部において左右方向軸線の支脚用ヒンジ５により枢着し、これにより図２のように表示パネル２と支脚４とが共に俯伏した折り畳み格納状態から、図１のように表示パネル２および支脚４が側方から見て、ほぼ人字状となる使用状態までの任意の角度のもとに、表示パネル２の仰角を変化させることができるようにした型式を採択する。
【００１０】
なお表示パネル２としては、単に表示機能だけではなく、信号送出機能を備えたものを採択する場合があり、例えば図３および図４のように液晶型あるいはプラズマ型の表示器２ａとこの表示器２ａの表部に透明フラット型タッチキー２ｂを備えたタッチキー付表示ユニット２ｃを設けた型式の表示パネル２であってもよい。
【００１１】
上記型式の卓上機器に対する本発明の特殊構成としては、前記支脚４の端部に短軸状のスライダ６を設けると共に、これに対応する基台１には前後方向の溝型のガイド７を設け、これらスライダ６とガイド７とにより前後方向のスライド機構を構成し、更に支脚用ヒンジ５に隣接して旋回を適度に制動する回転摩擦利用型のダンパ８（一種のブレーキ手段でもある）を付設する。
【００１２】
上記構成により、図２のように表示パネル２を俯伏させた格納状態から、図１のように表示パネル２を任意の角度に仰起させて使用するのであるが、使用に当っては、図２のような格納状態から、表示パネル２の後端寄り部分に対する持ち上げ操作により、支脚４の端部をスライド機構により規制した状態のもとに、支脚４をダンパ８の制動力に抗して旋回させつつ随伴し、表示パネル２を主ヒンジ３の支点のもとに所望の仰角に調節した状態に仰起し、なお調節後においては、ダンパ８の旋回阻止機能のもとに支脚４と表示パネル２とを人字状に保持する作用と、支脚４による突支棒作用とにより、表示パネル２の仰角を安定的に維持することができ、従って表示パネル２としてタッチキー付表示ユニット２ｃを設けた型式を採択した場合において、タッチキー２ｂに対する操作により表示パネル２が上方から押圧されても支障はない。
【００１３】
前記支脚用ヒンジ５としては例えば図４のように、表示パネル２の背面部に固設したブラケット９に枢軸１０を両側に突出状態に設けると共に、これに対する支脚４には前記枢軸１０に緩嵌する軸受１１を設けるようにし、かつこのような支脚用ヒンジ５にダンパ８を付設するためには、図５ないし図７に詳示するように、枢軸１０の端部の両側を削成して断面がほぼ長円形の内輪１２を形成すると共に、軸受１１の奥部に内輪１２の断面と同様な長円形断面の受孔がある外輪１３をその受孔の短軸と内輪１２の長軸とが対応する位置関係のもとに特にプラスチック等の弾性材により形成し、これにより受孔１３の短軸と内輪１２の長軸とが対応する回転角度の範囲において圧接摩擦による制動作用を発揮するダンパ８を構成する。
【００１４】
ダンパ８としては、種々の構造のものを適用することができるのであって、図８のように円形の内輪１２と外輪１３とを中間間隙が保たれるように共通軸線関係に設けると共に、内輪１２の外周面と外輪１３の内周面とにそれぞれゴム等の弾性材製の回転トラック１４，１５を形成し、かつ両回転トラック１４，１５間にこの回転トラック１４，１５間の厚みよりも大径の剛製材製のロール１６をケイジ１７に保持されたまま、ロール１６相互間隔が不定状態に列設し、もって内輪１２と外輪１３との相対運動に伴い回転トラック１４，１５の弾性材とロール１６とのころがり摩擦作用による制動力を利用する型式を採択してもよい。
【００１５】
また図示しないが、多板式ディスクブレーキ，ばね力により圧接させるようにしたディスクブレーキ，永久磁石の吸引力を利用して両摩擦板間に滑り摩擦を起こすようにした磁石ブレーキ，電磁ブレーキ等を採択することができ、更にそれらの制動力を任意に調節することができるようにするのが望ましい。
【００１６】
前記スライド機構については、基台１の上面に支脚４の受け入れに適応する凹部１８を設けると共に、この凹部１８の内部両側に前記ガイド７を設け、表示パネル２を俯伏させた場合、支脚４を基台１における凹部１８に埋没する状態に格納することができるようにするのがよい。
【００１７】
【発明の効果】
本発明によれば、表示パネル２と支脚４とをほぼ人字状置盾形に組み合わせたまま、両者の組み合わせ角度の変更により表示パネル２の仰角を変更する型式の卓上機器用表示パネルの角度調節装置において、支脚４の端部はこれをスライド機構により前後方向に案内するように構成し、かつ支脚用ヒンジ５に隣接して旋回を適度に制動する回転摩擦利用型のダンパ８を付設したから、これにより次のような効果が得られる。
【００１８】
支脚を設けることなく主ヒンジ部分にダンパを設けた従来の構造に比較して、表示パネル２の中間部分を支脚４の突支棒作用により、ほぼ人字状に組み合わせた状態に支持し、ダンパ８の負担を著しく軽減するから、表示パネル２の仰角を常時安定的に保持することができ、従ってキーボードを併設した型式の表示パネル２の角度調節装置として最適である。
【００１９】
表示パネル２の中間部分を支脚４により支承してダンパ８の負担を軽減することができるから、比較的制動力の弱いダンパ８で足りる関係上、表示パネル２の後端寄り部分に対する軽易な昇降操作により、表示パネル２の仰角を容易に調節することができるばかりでなく、ダンパ８の機械的負荷が軽減されるから、ダンパ８自体の延命につながる。
【００２０】
支脚４の端部をスライド機構により前後方向に案内するようにしたから、表示パネル２の角度調節操作を軽快に行うことができるほか、無段階に角度調節を行うことができる。
【図面の簡単な説明】
【図１】本発明の角度調節装置を適用した卓上機器を示す部分的破断側面図である。
【図２】図１の卓上機器の折り畳んだ状態の部分的破断側面図である。
【図３】図１の卓上機器の一部破断斜面図である。
【図４】図１の卓上機器における表示パネルの要部を示す一部破断側面図である。
【図５】図１の装置の要部を示す部分的縦断正面図である。
【図６】図５中の線VI−VIにおける縦断側面図である。
【図７】ダンパの分解参考縦断側面図である。
【図８】ダンパの他の実施形態を示す縦断側面図である。
【図９】従来装置の側面図である。
【符号の説明】
１  基台
２  表示パネル
２ａ  表示器
２ｂ  透明フラット型タッチキー
２ｃ  タッチキー付表示ユニット
３  主ヒンジ
４  支脚
５  支脚用ヒンジ
６  スライダ
７  ガイド
８  ダンパ
９  ブラケット
１０  枢軸
１１  軸受
１２  内輪
１３  外輪
１４  回転トラック
１５  回転トラック
１６  ロール
【図１】
0003681247.tif 000002
【図２】
0003681247.tif 000003
【図３】
0003681247.tif 000004
【図４】
0003681247.tif 000005
【図５】
0003681247.tif 000006
【図６】
0003681247.tif 000007
【図７】
0003681247.tif 000008
【図８】
0003681247.tif 000009
【図９】
0003681247.tif 000010